(57)【要約】      （修正有）【課題】クリック感をもって回転体を一方向に回転させることができ、かつ小型化が図れる回転装置およびそれを備えた時計を提供する。【解決手段】腕時計ケース１の外周に回転可能に配置され、かつ下面に係合凹部１５が円周に沿って等間隔で設けられた回転ベゼル１１と、この回転ベゼル１１の下側に位置する腕時計ケース１に配置され、回転ベゼル１１の一方向への回転に応じて係合凹部１５のいずれかに係脱可能に係合して回転ベゼル１１の回転位置を規制する回転規制部材１２と、この回転規制部材１２を回転ベゼル１１に向けて付勢するコイルばね１３と、を備えている。【選択図】図２
2018146505.tif 000002
【特許請求の範囲】
【請求項１】
装置本体と、
前記装置本体の外周に回転可能に配置され、かつ下面に係合凹部が円周に沿って等間隔で設けられた回転体と、
前記回転体の下側に位置する前記装置本体に前記回転体に向けて出没可能で且つ回転しないように配置され、前記回転体の一方向への回転に応じて前記係合凹部のいずれかに係脱可能に係合して前記回転体の回転位置を規制する回転規制部材と、
前記回転規制部材を前記回転体に向けて付勢する付勢部材と、
を備えていることを特徴とする回転装置。
【請求項２】
請求項１に記載の回転装置において、前記回転体の下側に位置する前記装置本体の一箇所または複数箇所には、前記回転規制部材を前記回転体に向けて出没可能に配置する収納部が設けられていることを特徴とする回転装置。
【請求項３】
請求項１または請求項２に記載の回転装置において、前記回転規制部材は、前記回転体の前記係合凹部内に出没可能に挿入する規制突起部と、前記規制突起部が設けられ、かつ外周が前記係合凹部の内周よりも大きい台座部と、を備えていることを特徴とする回転装置。
【請求項４】
請求項３に記載の回転装置において、前記係合凹部は、前記回転体の前記一方向への回転方向と反対側に位置し、前記規制突起部に接触してスライドしながら前記規制突起部を押し下げる第１傾斜部と、前記回転体の前記一方向への回転方向に位置し、前記規制突起部に対して接離可能に当接する第２傾斜部と、を備えていることを特徴とする回転装置。
【請求項５】
請求項４に記載の回転装置において、前記規制突起部は、前記係合凹部の前記第１傾斜部のスライドに応じて押し下げられるスライド部と、前記係合凹部の前記第２傾斜部に対して接離可能に当接する当接部と、を備えていることを特徴とする回転装置。
【請求項６】
請求項請３〜請求項５のいずれかに記載の回転装置において、前記規制突起部は、前記台座部から前記回転体に向けて突出する長さが前記係合凹部の深さと同じか、それよりも少し長く形成されていることを特徴とする回転装置。
【請求項７】
請求項３〜請求項６のいずれかに記載の回転装置において、前記付勢部材は、前記収納部内に配置された前記回転規制部材を押し出す方向に付勢した際に、前記台座部の上部側を前記収納部の外部に押し出した状態で、前記台座部の下部側を前記収納部内に配置させることを特徴とする回転装置。
【請求項８】
請求項１〜請求項７のいずれかに記載された回転装置を備えていることを特徴とする時計。
【発明の詳細な説明】
【技術分野】
【０００１】
この発明は、腕時計などの時計に用いられる回転装置およびそれを備えた時計に関する。
【背景技術】
【０００２】
例えば、腕時計の回転装置においては、特許文献１に記載されているように、腕時計ケースの外周に回転ベゼルを回転可能に配置する際に、これらの間に棒状部材をほぼリング状に折り曲げた回転規制部材を配置し、この回転規制部材によってクリック感をもたせて回転ベゼルを一方向に回転させるように構成されたものが知られている。
【先行技術文献】
【特許文献】
【０００３】
【特許文献１】特開２００２−１８１９６０号公報
【０００４】
この種の回転装置は、腕時計ケースの外周面に鋸歯状の係止歯を設け、回転ベゼルの内周面に回転規制部材の一端部が固定される固定部を設けると共に、この回転ベゼルの内周面に回転規制部材の他端部を腕時計ケースの係止歯に係止させるために、回転規制部材の他端部を径方向において弾性変形させる切欠き凹部を設けた構成になっている。
【０００５】
これにより、この回転装置は、回転規制部材の一端部を回転ベゼルの内周面の固定部に固定させると共に、回転規制部材の他端部を回転ベゼルの内周面の切欠き凹部に配置させて、回転規制部材を回転ベゼルの内周面に取り付け、この状態で回転ベゼルを回転規制部材と共に腕時計ケースの外周面に取り付ける際に、回転規制部材の他端部を腕時計ケースの外周面の係止歯に弾力的に係止させるように構成されている。
【発明の概要】
【発明が解決しようとする課題】
【０００６】
しかしながら、このような腕時計の回転装置では、腕時計ケースの外周面に鋸歯状の係止歯を設け、その外周に回転ベゼルを取り付ける際に、腕時計ケースの外周面と回転ベゼルの内周面との間に回転規制部材を配置させる構成であるから、腕時計全体がその径方向に制約を受けるため、腕時計全体の外径が大きくなり易く、腕時計全体の小型化を図ることができないという問題がある。
【０００７】
この発明が解決しようとする課題は、クリック感をもって回転体を一方向に回転させることができ、かつ小型化を図ることができる回転装置およびそれを備えた時計を提供することである。
【課題を解決するための手段】
【０００８】
この発明は、装置本体と、前記装置本体の外周に回転可能に配置され、かつ下面に係合凹部が円周に沿って等間隔で設けられた回転体と、前記回転体の下側に位置する前記装置本体に前記回転体に向けて出没可能で且つ回転しないように配置され、前記回転体の一方向への回転に応じて前記係合凹部のいずれかに係脱可能に係合して前記回転体の回転位置を規制する回転規制部材と、前記回転規制部材を前記回転体に向けて付勢する付勢部材と、を備えていることを特徴とする回転装置である。
【発明の効果】
【０００９】
この発明によれば、回転体の一方向への回転に応じて回転規制部材を回転体の係合凹部に係脱可能に係合させることができるので、クリック感をもって回転体を一方向に回転させることができると共に、装置全体が径方向に制約を受けることがないため、装置全体の外径を小さく形成することができ、これにより装置全体の小型化を図ることができる。
【図面の簡単な説明】
【００１０】
【図１】この発明を適用した腕時計の一実施形態を示した拡大正面図である。
【図２】図１に示された腕時計のＡ−Ａ矢視における要部を示した拡大断面図である。
【図３】図２に示された回転装置のＢ−Ｂ矢視における要部の断面を示し、（ａ）は回転規制部材によって回転ベゼルの回転位置を規制した状態を示した要部の拡大断面図、（ｂ）は回転ベゼルが一方向に回転する状態を示した要部の拡大断面図である。
【図４】図３に示された回転装置の回転ベゼルにおける下面を示した要部の拡大下面図である。
【図５】図３に示された回転装置の回転規制部材を示した拡大斜視図である。
【図６】図５に示された回転規制部材を腕時計ケースの収納穴部に配置した状態を示した要部の拡大断面図である。
【図７】図３に示された回転装置における付勢部材の第１変形例を示した要部の拡大断面図である。
【図８】図３に示された回転装置における付勢部材の第２変形例を示した要部の拡大断面図である。
【発明を実施するための形態】
【００１１】
以下、図１〜図６を参照して、この発明を腕時計に適用した一実施形態について説明する。
この腕時計は、図１に示すように、装置本体である金属製の腕時計ケース１を備えている。この腕時計ケース１の１２時側と６時側との各側部には、バンド取付部２がそれぞれ設けられている。また、この腕時計ケース１の２時側、４時側、８時側、および１０時側には、それぞれ押釦スイッチ３が設けられている。
【００１２】
この腕時計ケース１の上部開口部には、図１および図２に示すように、時計ガラス４がガラスパッキン４ａを介して設けられている。また、この腕時計ケース１の下部には、裏蓋５が防水リング５ａを介して取り付けられている。さらに、この腕時計ケース１の内部には、時計モジュール６が中枠７を介して設けられている。
【００１３】
この場合、時計モジュール６の上部には、文字板（図示せず）が設けられており、この文字板上の外周には、図２に示すように、見切り部材８が配置されている。時計モジュール６は、図示しないが、指針を文字板の上方で運針させる時計ムーブメント、時刻などの情報を電気光学的に表示する表示パネル、これらを電気的に駆動する回路部などの時計機能に必要な各種の部品を備えている。
【００１４】
ところで、装置本体である腕時計ケース１の上部における外周には、図１および図２に示すように、回転装置１０が設けられている。この場合、腕時計ケース１の上部における外周には、切欠き部９が全周に亘って設けられている。回転装置１０は、腕時計ケース１の切欠き部９に配置される回転体である回転ベゼル１１と、この回転ベゼル１１の回転位置を規制する回転規制部材１２と、この回転規制部材１２を回転ベゼル１１に向けて弾力的に押し付ける付勢部材であるコイルばね１３と、を備えている。
【００１５】
回転ベゼル１１は、図２および図３に示すように、金属によってリング状に形成され、腕時計ケース１の上部に位置する外周の切欠き部９内にリング状のパッキン１４を介して回転自在に取り付けられている。この場合、回転ベゼル１１の内周面には、パッキン１４が装着する装着凹部１１ａが設けられている。この装着凹部１１ａの下部に位置する回転ベゼル１１の内周面には、腕時計ケース１の切欠き部９の外周面に設けられた係止突起９ａに係合する係合部１１ｂが設けられている。
【００１６】
これにより、回転ベゼル１１は、図２に示すように、装着凹部１１ａにパッキン１４を装着させた状態で、腕時計ケース１の上部に位置する外周の切欠き部９にその上方から嵌め込まれて、係合部１１ｂを腕時計ケース１の切欠き部９の係止突起９ａに係合させることにより、腕時計ケース１の上方に抜け出すことなく、腕時計ケース１の切欠き部９に回転可能に取り付けられるように構成されている。
【００１７】
また、この回転ベゼル１１の下面には、図２〜図４に示すように、係合凹部１５が円周に沿って等間隔で設けられている。これら係合凹部１５それぞれは、断面がほぼ台形状に形成されている。この係合凹部１５は、回転ベゼル１１の一方向（矢印Ｘ方向）への回転方向と反対側に位置する内面に第１傾斜部１５ａが設けられ、回転体ベゼル１１の一方向への回転方向に位置する内面に第２傾斜部１５ｂが設けられ、これら第１傾斜部１５ａと第２傾斜部１６ｂとの間に底部１５ｃが設けられた構成になっている。
【００１８】
この場合、第１傾斜部１５ａは、図３（ａ）および図３（ｂ）に示すように、回転ベゼル１１の下面からその一方向（矢印Ｘ方向）への回転方向に向けて約４０°の角度で傾斜して設けられている。これにより、第１傾斜部１５ａは、回転体ベゼル１１が一方向に回転する際に、回転規制部材１２に接触してスライドすることにより、回転規制部材１２を押し下げるように構成されている。
【００１９】
また、第２傾斜部１５ｂは、図３（ａ）および図３（ｂ）に示すように、回転ベゼル１１の下面からその一方向（矢印Ｘ方向）への回転方向と反対方向に向けて約７０°の角度で傾斜して設けられている。これにより、第２傾斜部１５ｂは、回転規制部１２が係合凹部１５に挿入した際に、回転規制部材１２に接離可能に当接することにより、回転体ベゼル１１の一方向と反対方向への回転を規制するように構成されている。
【００２０】
一方、回転規制部材１２は、図２、図３および図５に示すように、回転ベゼル１１の下面に設けられた係合凹部１５に出没可能に挿入する規制突起部１６と、この規制突起部１６が上面に設けられる台座部１７と、この台座部１７の下面に設けられてコイルばね１３をガイドするガイド軸１８と、を備え、これらが滑り性を有する硬質の合成樹脂によって一体に形成されている。
【００２１】
この回転規制部材１２は、図１に示すように、腕時計ケース１の切欠き部９の底面における所定箇所に設けられた収納穴部２０内にコイルばね１３と共に配置されるように構成されている。この場合、収納穴部２０は、腕時計ケース１の切欠き部９の底面において、押釦スイッチ３を避けた箇所、例えば９時側に位置する箇所に設けられている。
【００２２】
すなわち、この収納穴部２０は、図２および図３に示すように、その上下方向における上部側に位置する箇所に設けられて回転規制部材１２の台座部１７が上下方向に移動可能に配置される大径穴部２０ａと、下部側に位置する箇所に設けられて回転規制部材１２のガイド軸１８がコイルばね１３と共に配置される小径穴部２０ｂと、を備えている。大径穴部２０ａの外径は、台座部１７の外径よりも少し大きく、大径穴部２０ａの形状は、台座部１７の形状とほぼ同じである。回転規制部材１２のガイド軸１８を中心に回転規制部材１２が収納穴部２０内で回転しないように構成されている。
【００２３】
この場合、コイルばね１３は、図２、図３および図６に示すように、その内径がガイド軸１８の外径よりも少し大きく形成され、外径が台座部１７の外径よりも小さく、かつ収納穴部２０の小径穴部２０ｂの内径よりも少し小さく形成されている。また、このコイルばね１３は、その上端部が台座部１７の下面に弾接し、下端部が小径穴部２０ｂの底部に弾接するように構成されている。
【００２４】
これにより、このコイルばね１３は、図６に示すように、台座部１７を収納穴部２０の上方に向けて押し出す方向に付勢するように構成されている。この場合、コイルばね１３は、そのばね力によって規制突起部１６を収納穴部２０の上方に向けて押し出した際に、台座部１７の上部側が収納穴部２０の上方に突出しても、台座部１７の下部側が収納穴部２０の大径穴部２０ａに配置された状態を維持する程度のばね力に設定されている。
【００２５】
ところで、回転規制部材１２の規制突起部１６は、図３および図５に示すように、回転ベゼル１１の係合凹部１５に出没可能に挿入する山形形状に形成されている。すなわち、この規制突起部１６は、回転ベゼル１１の係合凹部１５における第１傾斜部１５ａのスライドに応じて押し下げられるスライド部１６ａと、係合凹部１５の第２傾斜部１５ｂに対して接離可能に当接する当接部１６ｂと、を備えている。
【００２６】
この場合、規制突起部１６は、図３および図５に示すように、その山形形状の高さ、つまり台座部１７から回転ベゼル１１に向けて突出する長さが、回転ベゼル１１の係合凹部１５の深さとほぼ同じか、それよりも少し長く形成されている。これにより、規制突起部１６は、係合凹部１５に挿入された際に、山形形状の上端部１６ｃが係合凹部１５の底部１５ｃに当接するように構成されている。
【００２７】
この場合、スライド部１６ａは、図３および図５に示すように、回転ベゼル１１の係合凹部１５の第１傾斜部１５ａとほぼ平行に形成されている。また、当接部１６ｂは、係合凹部１５の第２傾斜部１５ｂとほぼ平行に形成されている。さらに、規制突起部１６の上端部１６ｃ、つまり山形形状の上端部１６ｃは、円弧状に形成されている。
【００２８】
これにより、規制突起部１６は、図３（ａ）に示すように、回転ベゼル１１の係合凹部１５に挿入されて、山形形状の上端部１６ｃが係合凹部１５の底部１５ｃに当接した際に、スライド部１６ａが係合凹部１５の第１傾斜部１５ａに隙間をもって対面し、当接部１６ｂが係合凹部１５の第２傾斜部１５ｂに対面して当接するように構成されている。
【００２９】
この場合、台座部１７は、図３（ａ）に示すように、規制突起部１６が回転ベゼル１１の係合凹部１５に挿入された際に、台座部１７の上面と回転ベゼル１１の下面との間に僅かな隙間をもって、回転ベゼル１１の下側に配置され、かつ台座部１７の上面が収納穴部２０の上端部に位置する腕時計ケース１の切欠き部９の底面とほぼ同じ平面上に配置されるように構成されている。
【００３０】
また、規制突起部１６は、図３（ｂ）に示すように、回転ベゼル１１の係合凹部１５に挿入された状態で、回転ベゼル１１を一方向（矢印Ｘ方向）に回転させた際に、係合凹部１５の第１傾斜部１５ａがスライド部１６ａに接触した状態でスライドすることにより、スライド部１６ａがコイルばね１３のばね力に抗して徐々に押し下げられるように構成されている。
【００３１】
また、この規制突起部１６は、図３（ｂ）に示すように、スライド部１６ａがコイルばね１３のばね力に抗して徐々に押し下げられる際に、当接部１６ｂが係合凹部１５の第２傾斜部１５ｂに沿って徐々に押し下げられることにより、山形形状の上端部１６ｃが係合凹部１５の第２傾斜部１５ｂを乗り越えて、係合凹部１５内から外部に抜け出すように構成されている。
【００３２】
この場合、コイルばね１３は、図３（ｂ）に示すように、規制突起部１６の上端部１６ｃが係合凹部１５の第２傾斜部１５ｂを乗り越える際に、台座部１７によって圧縮されることにより、回転ベゼル１１の回転力を重くし、規制突起部１６が隣接する係合凹部１５に挿入する際に、圧縮したコイルばね１３が伸びて回転ベゼル１１の回転力を急激に軽くすることにより、回転ベゼル１１にクリック感を付与するように構成されている。
【００３３】
さらに、この規制突起部１６は、図３（ａ）に示すように、回転ベゼル１１の係合凹部１５に挿入された状態で、回転ベゼル１１を一方向（矢印Ｘ方向）と反対方向に回転させる際に、当接部１６ｂが係合凹部１５の第２傾斜部１５ｂに当接した状態を維持することにより、回転ベゼル１１の逆方向への回転を阻止するように構成されている。
【００３４】
次に、このような腕時計の回転装置１０の作用について説明する。
この回転装置１０を組み立てる場合には、まず、腕時計ケース１の上部外周に位置する切欠き部９の底部における９時側に設けられた収納穴部２０内に、回転規制部材１２をコイルばね１３と共に配置する。このときには、回転規制部材１２の台座部１７の下面に設けられたガイド軸１８をコイルばね１３に挿入させて、コイルばね１３をガイド軸１８の外周に配置する。
【００３５】
この状態で、コイルばね１３とガイド軸１８とを腕時計ケース１の切欠き部９の収納穴部２０内にその上方から挿入させて収納穴部２０の小径穴部２０ｂ内に配置させる。この状態では、図６に示すように、コイルばね１３の下端部が収納穴部２０の底部に弾接し、コイルばね１３の上端部が台座部１７の下面に弾接した状態で、コイルばね１３が自然状態に伸びる。
【００３６】
この状態では、台座部１７の上部側が規制突起部１６と共に収納穴部２０から上方に突出し、台座部１７の下部側が収納穴部２０の大径穴部２０ａ内に配置された状態になる。このため、回転規制部材１２は、その規制突起部１６が収納穴部２０の上方に突出していても、台座部１７の下部側が収納穴部２０内に配置されていることにより、収納穴部２０内に安定した状態で配置される。
【００３７】
この状態で、腕時計ケース１の切欠き部９に回転ベゼル１１を取り付ける。このときには、予め、回転ベゼル１１の内周面に設けられた装着凹部１１ａ内にパッキン１４を装着させる。そして、この回転ベゼル１１を腕時計ケース１の切欠き部９にその上方から嵌め込んで、回転ベゼル１１の係合部１１ｂを腕時計ケース１の切欠き部９の係止突起９ａに係合させる。
【００３８】
これにより、回転ベゼル１１は、腕時計ケース１の上方に抜け出すことなく、腕時計ケース１の切欠き部９内に回転可能に取り付けられる。このときには、回転規制部材１２の規制突起部１６が回転ベゼル１１の下面によって押し下げられる。このため、コイルばね１３が少し圧縮されて、台座部１７の上部側が収納穴部２０の大径穴部２０ａ内に押し込まれる。
【００３９】
この場合、回転規制部材１２の規制突起部１６が回転ベゼル１１の下面に設けられた係合凹部１５内に挿入された際には、規制突起部１６のスライド部１６ａが係合凹部１５の第１傾斜部１５ａに隙間をもって平行な状態で対面し、規制突起部１６の当接部１６ｂが係合凹部１５の第２傾斜部１５ｂに当接し、規制突起部１６の上端部１６ｃが係合凹部１５の底部１５ｃに当接する。
【００４０】
このときには、規制突起部１６の高さ、つまり台座部１７から回転ベゼル１１に向けて突出する規制突起部１６の長さが、回転ベゼル１１の係合凹部１５の深さとほぼ同じか、それよりも少し長く形成されている。このため、規制突起部１６が係合凹部１５に挿入されて、その上端部１６ｃが係合凹部１５の底部１５ｃに当接した際には、台座部１７が腕時計ケース１の切欠き部９の収納穴部２０内に押し込まれる。
【００４１】
このときには、回転規制部材１２の台座部１７は、その上面と回転ベゼル１１の下面との間に僅かな隙間をもって回転ベゼル１１の下側に配置されると共に、台座部１７の上面が収納穴部２０の上端部に位置する腕時計ケース１の切欠き部９の底面とほぼ同じ平面上に配置される。これにより、回転規制部材１２の台座部１７は、回転ベゼル１１の下面に接触しない状態で配置される。
【００４２】
次に、この回転装置１０の動作について説明する。
回転規制部材１２の規制突起部１６が回転ベゼル１１の下面に設けられた係合凹部１５内に挿入された状態で、回転ベゼル１１を一方向（矢印Ｘ方向）に回転させると、この回転ベゼル１１の回転に伴って、回転ベゼル１１の係合凹部１５が回転方向（矢印Ｘ方向）に移動する。
【００４３】
このときには、係合凹部１５の第１傾斜部１５ａが規制突起部１６のスライド部１６ａに接触した状態でスライドし、この第１傾斜部１５ａのスライドに応じてスライド部１６ａがコイルばね１３のばね力に抗して徐々に押し下げられる。このため、規制突起部１６の当接部１６ｂが係合凹部１５の第２傾斜部１５ｂに沿って徐々に押し下げられて、規制突起部１６の上端部１６ｃが第２傾斜部１５ｂを乗り越えて係合凹部１５の外部に押し出される。このときには、コイルばね１３が台座部１７によって圧縮されるので、回転ベゼル１１の回転力が重くなる。
【００４４】
この状態で、回転ベゼル１１を更に一方向（矢印Ｘ方向）に回転させると、規制突起部１６の上端部１６ｃが回転ベゼル１１の下面に弾接した状態で、回転ベゼル１１が回転する。この回転ベゼル１１の回転に伴って、隣接する係合凹部１５が規制突起部１６に対応すると、規制突起部１６が隣接する係合凹部１５に挿入する。
【００４５】
このときには、圧縮したコイルばね１３のばね力によって規制突起部１６の上端部１６ｃが、係合凹部１５の第１傾斜部１５ａに沿って徐々に押し上げられる。これにより、規制突起部１６のスライド部１６ａが係合凹部１５の第１傾斜部１５ａに対面し、規制突起部１６の当接部１６ｂが係合凹部１５の第２傾斜部１５ｂに当接し、規制突起部１６の上端部１６ｃが係合凹部１５の底部１５ｃに当接する。
【００４６】
このように、規制突起部１６が隣接する係合凹部１５に挿入する際には、圧縮したコイルばね１３がその弾性復帰力によって伸びるので、回転ベゼル１１の回転力が急激に軽くなる。これにより、回転ベゼル１１にクリック感が付与される。
【００４７】
また、このように、規制突起部１６が係合凹部１５に挿入した状態で、回転ベゼル１１を一方向（矢印Ｘ方向）と反対方向に回転させる際には、規制突起部１６の当接部１６ｂに係合凹部１５の第２傾斜部１５ｂが当接していることにより、回転ベゼル１１の逆回転が阻止される。このため、この回転ベゼル１１は、一方向（矢印Ｘ方向）のみに回転する。
【００４８】
また、回転規制部材１２は、収納穴部２０内でガイド軸１８を中心に回転することがないので、規制突起部１６の当接部１６ｂに係合凹部１５の第２傾斜部１５ｂが当接していることにより、回転ベゼル１１の逆回転が阻止される。
【００４９】
このように、この腕時計の回転装置１０によれば、装置本体である腕時計ケース１の外周に回転可能に配置され、かつ下面に係合凹部１５が円周に沿って等間隔で設けられた回転ベゼル１１と、この回転ベゼル１１の下側に位置する腕時計ケース１に配置され、回転ベゼル１１の一方向（矢印Ｘ方向）への回転に応じて係合凹部１５のいずれかに係脱可能に係合して回転ベゼル１１の回転位置を規制する回転規制部材１２と、この回転規制部材１２を回転ベゼル１１に向けて付勢するコイルばね１３と、を備えていることにより、クリック感をもって回転ベゼル１１を一方向に回転させることができ、かつ装置全体の小型化を図ることができる。
【００５０】
すなわち、この腕時計の回転装置１０では、回転ベゼル１１の一方向（矢印Ｘ方向）への回転に応じて回転規制部材１２を回転ベゼル１１の係合凹部１５に係脱可能に係合させることができるので、クリック感をもって回転ベゼル１１を一方向に回転させることができると共に、装置全体が径方向に制約を受けることがないため、装置全体の外径が大きくなることがなく、装置全体の小型化を図ることができる。
【００５１】
この場合、この回転装置１０では、回転ベゼル１１の下側に位置する腕時計ケース１の所定箇所、つまり９時側に位置する一箇所に、回転規制部材１２を回転ベゼル１１に向けて出没可能に配置する収納穴部２０が設けられていることにより、回転規制部材１２を腕時計ケース１に対して簡単にかつ容易に取り付けることができると共に、収納穴部２０を複数の押釦スイッチ３などを避けて設けることができる。このため、この回転装置１０では、構造が簡単で、製作が容易にできるほか、省スペース化を図ることができる。
【００５２】
また、この回転装置１０では、回転規制部材１２が、回転ベゼル１１の係合凹部１５内に出没可能に挿入する規制突起部１６と、この規制突起部１６が設けられ、かつ外周が係合凹部１５の内周よりも大きい台座部１７と、を備えていることにより、台座部１７が係合凹部１５内に挿入することがないので、規制突起部１６のみを係合凹部１５内に良好に挿入させることができ、これにより台座部１７が係合凹部１５に引っ掛かることがなく、回転ベゼル１１を円滑に回転させることができる。
【００５３】
また、この回転装置１０では、回転ベゼル１１の係合凹部１５が、回転ベゼル１１の一方向（矢印Ｘ方向）への回転方向と反対側に位置し、回転規制部材１２に接触した状態でスライドしながら回転規制部材１２を押し下げる第１傾斜部１５ａと、回転ベゼル１１の一方向への回転方向に位置し、回転規制部材１２に対して接離可能に当接する第２傾斜部１５ｂと、を備えていることにより、回転ベゼル１１を一方向のみに良好に回転させることができると共に、回転ベゼル１１の逆方向への回転を防ぐことができる。
【００５４】
この場合、回転規制部材１２の規制突起部１６は、回転ベゼル１１の係合凹部１５における第１傾斜部１５ａのスライドに応じて押し下げられるスライド部１６ａと、係合凹部１５の第２傾斜部１５ｂに対して接離可能に当接する当接部１６ｂと、を備えていることにより、回転ベゼル１１を一方向（矢印Ｘ方向）に回転させた際に、係合凹部１５の第１傾斜部１５ａによってスライド部１６ａが確実に押し下げられるので、回転ベゼル１１を一方向に円滑に回転させることができる。
【００５５】
また、この規制突起部１６は、回転ベゼル１１が一方向（矢印Ｘ方向）に回転して係合凹部１５の第１傾斜部１５ａが規制突起部１６のスライド部１６ａを押し下げると、規制突起部１６の当接部１６ｂが係合凹部１５の第２傾斜部１５ｂに沿って押し下げられて、規制突起部１６の上端部１６ｃが第２傾斜部１５ｂを乗り越えることにより、規制突起部１６が係合凹部１５内から確実にかつ良好に押し出されるので、回転ベゼル１１を一方向に円滑にかつ良好に回転させることができる。
【００５６】
また、この規制突起部１６は、回転ベゼル１１を一方向（矢印Ｘ方向）と反対方向に回転させる際に、係合凹部１５の第２傾斜部１５ｂが規制突起部１６の当接部１６ｂに当接するので、回転ベゼル１１が逆方向に回転するのを確実に阻止することができ、これにより回転ベゼル１１の逆回転を確実に防ぐことができる。
【００５７】
この場合、規制突起部１６は、その高さつまり台座部１７から回転ベゼル１１に向けて突出する長さが、係合凹部１５の深さと同じか、それよりも少し長く形成されていることにより、規制突起部１６を係合凹部１５内に挿入させた際に、台座部１７を回転ベゼル１１の下側に押し下げた状態で配置させることができ、これにより台座部１７が係合凹部１５に接触しないようにすることができるので、回転ベゼル１１を円滑にかつ良好に回転させることができる。
【００５８】
また、この規制突起部１６は、その上端部１６ｃが円弧状に形成されていることにより、規制突起部１６が係合凹部１５内から押し出される際に、円弧状の上端部１６ｃによって第２傾斜部１５ｂを円滑に乗り越えさせることができると共に、この円弧状の上端部１６ｃによって回転ベゼル１１の下面を円滑にスライドさせることができ、また隣接する係合凹部１５に規制突起部１６が挿入する際に、円弧状の上端部１６ｃによって係合凹部１５の第１傾斜部１５ａを円滑にスライドさせて、規制突起部１６を係合凹部１５に円滑に挿入させることができる。
【００５９】
この場合、回転規制部材１２は、滑り性を備えた硬質の合成樹脂で形成されていることにより、係合凹部１５内から規制突起部１６を押し出す際、また係合凹部１５に規制突起部１６が挿入する際に、規制突起部１６に対して第１傾斜部１５ａを滑らかにスライドさせることができる。このため、規制突起部１６にグリスなどの潤滑油を塗布しなくても、スライド部１６ａ、当接部１６ｂ、および円弧状の上端部１６ｃを回転ベゼル１１に対して滑らかにスライドさせることができる。
【００６０】
また、付勢部材であるコイルばね１３は、収納穴部２０内に配置された回転規制部材１２を押し出す方向に付勢した際に、台座部１７の上部側を収納穴部２０の外部に押し出した状態で、台座部１７の下部側を収納穴部２０内に配置させることにより、規制突起部１６が収納穴部２０の上方に突出していても、台座部１７の下部側を収納穴部２０内に配置させることができるので、回転規制部材１２を収納穴部２０内に安定させた状態で配置させることができ、これにより組立作業を向上させることができる。
【００６１】
なお、上述した実施形態では、付勢部材としてコイルばね１３を用いた場合について述べたが、この発明はこれに限らず、例えば図７に示す第１変形例のような板ばね２５を用いても良い。すなわち、この第１変形例の板ばね２５は、回転ベゼル１１の円周方向に沿って上方に向けて凸となる円弧状に湾曲させた構成になっている。
【００６２】
この場合、腕時計ケース１の切欠き部９に設けられる収納穴部２６は、回転規制部材１２の台座部１７の外径とほぼ同じ内径で、台座部１７の出没方向の長さをその出没長さよりも少し深く形成すれば良い。
【００６３】
このような板ばね２５を用いても、上述した実施形態と同様の作用効果があるほか、回転規制部材１２にガイド軸１８を設ける必要がないので、回転規制部材１２の構造を簡素化させることができる。この場合、この第１変形例では、板ばね２５を上方に向けて凸となる円弧状に湾曲させたが、下方に向けて凸となる円弧状に湾曲させても良い。
【００６４】
また、上述した実施形態および第１変形例では、付勢部材としてコイルばね１３また板ばね２５を用いた場合について述べたが、この発明はこれらに限らず、例えば図８に示す第２変形例のように、弾力部３０を回転規制部１２の台座部１７に一体に形成した構成であっても良い。
【００６５】
すなわち、この弾力部３０は、台座部１７の下面に螺旋状またはジグザグ状に形成して、回転規制部材１２の軸方向に弾性変形するように形成されている。この場合、腕時計ケース１の切欠き部９に設けられる収納穴部３１は、回転規制部材１２の台座部１７が挿入する大径穴部３１ａと、弾力部３０が挿入して弾力部３０の弾性変形をガイドする小径穴部３１ｂと、で形成すれば良い。
【００６６】
このような弾力部３０を備えた構成であっても、上述した実施形態と同様の作用効果があるほか、付勢部材である弾力部３０を別部品として製作する必要がないので、部品点数を削減することができると共に、組立作業の簡素化を図ることができる。
【００６７】
また、上述した実施形態および第１、第２の各変形例では、腕時計ケース１の収納穴部２０、２６、３１を９時側に位置する１箇所に設けた場合について述べたが、この発明はこれに限らず、例えば９時側と３時側との２箇所に設けても良く、またこれに限らず、押釦スイッチ３などを避けた箇所であれば、３箇所以上に設けても良い。
【００６８】
さらに、上述した実施形態および第１、第２の各変形例では、回転規制部材１２を腕時計ケース１の切欠き部９に設けられた収納穴部２０、２６、３１内に配置させた際に、台座部１７の上部側が収納穴部２０、２６、３１から上側に押し出されるように構成されている場合について述べたが、この発明はこれに限らず、例えば収納穴部２０、２６、３１の縁部にカシメ部を設けた構成でも良い。
【００６９】
この場合には、回転規制部材１２を収納穴部２０、２６、３１内に配置させて、台座部１７を収納穴部２０、２６、３１内に押し込んだ状態で、カシメ部をカシメて台座部１７の上面の外周部を上側から押え付けるようにすれば良い。このようにすれば、規制突起部１６が回転ベゼル１１の係合凹部１５に挿入しても、台座部１７が収納穴部２０、２６、３１から上側に押し出されないようにすることができるので、回転ベゼル１１を円滑にかつ良好に回転させることができる。
【００７０】
なおまた、上述した実施形態および第１、第２の各変形例では、腕時計に適用した場合について述べたが、この発明は必ずしも腕時計である必要はなく、例えばトラベルウオッチ、懐中時計、目覚まし時計、置き時計、掛け時計などの各種の時計に広く適用することができる。
【００７１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７２】
（付記）
請求項１に記載の発明は、装置本体と、前記装置本体の外周に回転可能に配置され、かつ下面に係合凹部が円周に沿って等間隔で設けられた回転体と、前記回転体の下側に位置する前記装置本体に前記回転体に向けて出没可能で且つ回転しないように配置され、前記回転体の一方向への回転に応じて前記係合凹部のいずれかに係脱可能に係合して前記回転体の回転位置を規制する回転規制部材と、前記回転規制部材を前記回転体に向けて付勢する付勢部材と、を備えていることを特徴とする回転装置である。
【００７３】
請求項２に記載の発明は、請求項１に記載の回転装置において、前記回転体の下側に位置する前記装置本体の一箇所または複数箇所には、前記回転規制部材を前記回転体に向けて出没可能に配置する収納部が設けられていることを特徴とする回転装置である。
【００７４】
請求項３に記載の発明は、請求項１または請求項２に記載の回転装置において、前記回転規制部材は、前記回転体の前記係合凹部内に出没可能に挿入する規制突起部と、前記規制突起部が設けられ、かつ外周が前記係合凹部の内周よりも大きい台座部と、を備えていることを特徴とする回転装置である。
【００７５】
請求項４に記載の発明は、請求項３に記載の回転装置において、前記係合凹部は、前記回転体の前記一方向への回転方向と反対側に位置し、前記規制突起部に接触してスライドしながら前記規制突起部を押し下げる第１傾斜部と、前記回転体の前記一方向への回転方向に位置し、前記規制突起部に対して接離可能に当接する第２傾斜部と、を備えていることを特徴とする回転装置である。
【００７６】
請求項５に記載の発明は、請求項４に記載の回転装置において、前記規制突起部は、前記係合凹部の前記第１傾斜部のスライドに応じて押し下げられるスライド部と、前記係合凹部の前記第２傾斜部に対して接離可能に当接する当接部と、を備えていることを特徴とする回転装置である。
【００７７】
請求項６に記載の発明は、請求項請３〜請求項５のいずれかに記載の回転装置において、前記規制突起部は、前記台座部から前記回転体に向けて突出する長さが前記係合凹部の深さと同じか、それよりも少し長く形成されていることを特徴とする回転装置である。
【００７８】
請求項７に記載の発明は、請求項３〜請求項６のいずれかに記載の回転装置において、前記付勢部材は、前記収納部内に配置された前記回転規制部材を押し出す方向に付勢した際に、前記台座部の上部側を前記収納部の外部に押し出した状態で、前記台座部の下部側を前記収納部内に配置させることを特徴とする回転装置である。
【００７９】
請求項８に記載の発明は、請求項１〜請求項７のいずれかに記載された回転装置を備えていることを特徴とする時計である。
【符号の説明】
【００８０】
１  腕時計ケース
９  切欠き部
１０  回転装置
１１  回転ベゼル
１２  回転規制部材
１３  コイルばね
１５  係合凹部
１５ａ  第１傾斜部
１５ｂ  第２傾斜部
１５ｃ  底部
１６  規制突起部
１６ａ  スライド部
１６ｂ  当接部
１６ｃ  上端部
１７  台座部
１８  ガイド軸
２０、２６、３１  収納穴部
２０ａ、３１ａ  大径穴部
２０ｂ、３１ｂ  小径穴部
２５  板ばね
３０  弾力部
【図１】
2018146505.tif 000003
【図２】
2018146505.tif 000004
【図３】
2018146505.tif 000005
【図４】
2018146505.tif 000006
【図５】
2018146505.tif 000007
【図６】
2018146505.tif 000008
【図７】
2018146505.tif 000009
【図８】
2018146505.tif 000010